Podtech/llm-jp-corpus-v4-ja_patent huggingface dataset:
(57)【要約】【課題】  フック周りの開口部に隙間のあるカバーは、そこから虫が侵入し、洋服は虫に喰われる被害を受けるという問題がある。【解決手段】  ファスナーを開閉する開口部だけを設け、ハンガーフックを出し入れするための開口部のない洋服の防虫カバーを提供することにより、上記課題を解決したものである。【選択図】図１
2011218107.tif 000002
【特許請求の範囲】
【請求項１】
ハンガーフックを出し入れするための開口部のない洋服の防虫カバー。
【発明の詳細な説明】
【技術分野】
【０００１】本発明は、洋服を虫喰いの害から守るための防虫カバーに関するものである。
【背景技術】
【０００２】・従来の防虫カバー（以下「カバー」という。）は、ハンガーフック（以下「フック」という。）を出し入れする開口部とハンガーに掛けた洋服を出し入れする開口部とそれぞれ別々に設けられている。
・虫はフック周りの開口部の隙間からも出入りできるため、カバーとしての機能が充分とは言えない。
【発明の開示】
【発明が解決しようとする課題】
【０００３】フック周りの開口部に隙間のあるカバーは開口部から虫が侵入し、洋服は虫に喰われてしまい被害を受けるという問題点がある。
【課題を解決するための手段】
【０００４】本案は図１に示すように、ファスナーを開閉する開口部だけを設け、ハンガーフックを出し入れするための開口部のない洋服の防虫カバーを提供することにより、上記課題を解決したものである。
【発明の効果】
【０００５】フックを出し入れする開口部が無くなったため、虫はフック周りからの出入りが出来なくなり、これまで以上に防虫の効果を発揮できる。
【発明を実施するための最良の形態】
【実施例】
【０００６】・図１に示すように、ファスナーはカバー前身頃正面に溶着又はミシン縫いし、カバーの最上部から最下部まで取付ける。
・ファスナーのスライダーはカバーの最上部から最下部まで開閉する。
・ファスナーを取付けたカバーの前身頃と図２に示すように型抜きした後身頃を重ね合わせ、カバー全周囲の縁を溶着又はミシン縫いする。これでカバーは出来上がる。
ハンガーに掛けた洋服をカバー内に入れる際、フックの出し入れは洋服と同時にファスナーの開口部を利用することにより、フックはファスナーを閉める際図３に示すようにスライダーと務歯に締めつけられるため、フック周りおよびファスナーの開閉はほとんど隙間がなくなり、虫はカバー内に入ることが難しくなる。【０００７】ファスナーのスライダーは市販されているオートロック式のスライダーを使用する。【０００８】カバーの素材は不織布、その他化学繊維の生地等を用い、通気性があり、虫のつきにくい素材を使用する。以上で作業は終了する。
【図面の簡単な説明】
【０００９】
【図１】防虫カバー前身頃
【図２】防虫カバー後身頃
【図３】ファスナー閉じ図
【符号の説明】
【００１０】１．防虫カバー
２．縁どりテープ
３．ハンガーフック
４．ファスナー
５．スライダー
６．引手
７．務歯
８．ファスナーテープ
【図１】
2011218107.tif 000003
【図２】
2011218107.tif 000004
【図３】
2011218107.tif 000005
(57)【要約】【課題】  ほかの衣類より汚れのある衣類は、洗濯機で一緒に洗濯すると汚れが残ってしまい、汚れた部分は前処理を行わなければならなかった。  本発明は、汚れを落とすための球状や五角、六角等の多面体の小物体を配置した洗濯用ネットを提供する。【解決手段】  洗濯用ネットを袋状になるように区分けし、各室部分に球状や五角、六角等の多面体の小物体を配置したことを、特徴とする洗濯用ネット。【選択図】図１
2011218110.tif 000002
【特許請求の範囲】
【請求項１】
洗濯用ネットの側面に複数の収納部を設け、その収納部に小物体を配置した洗濯用ネット。
【発明の詳細な説明】
【技術分野】
【０００１】  本発明は、球体、多角形の小物体を配置した洗濯用ネットに関するものである。
【背景技術】
【０００２】  従来、衣類を洗濯機などで洗濯するには、ほかの衣類より汚れのある衣類は洗濯前に前処理などを行い、汚れを落ちやすくしてから洗濯機で洗濯していた。
なお、洗濯用ネットの内面に、球状の小物体を多数取り付けた洗濯用ネットが、実用新案に登録されている（特許文献１参照）。
【先行技術文献】
【０００３】
【特許文献】
【特許文献】実用新案登録番号第３０６２００７号公報
【発明の概要】
【発明が解決しようとする課題】
【０００４】  ほかの衣類より汚れた衣類は、洗濯機で一緒に洗濯すると、汚れが残ってしまう。汚れた部分は前処理を行わなければならなかった。
本発明は、以上の問題点を解決するためになされたものである。
【課題を解決するための手段】
【０００５】  洗濯用ネットの側面に複数の収納部を設け、その収納部に小物体を配置した洗濯用ネット。
以上の構成よりなる球体、多角形の小物体を配置した洗濯用ネット。
【発明の効果】
【０００６】  従来、ほかの衣類より汚れのある衣類は、前処理を行っていたが、本発明は球体や五角形、六角形等の多面体の小物体が洗濯中、衣類にぶつかることにより、洗濯用ネットの中の衣類をもんだり、叩いたりするため、前処理がいらなくなる。
【図面の簡単な説明】
【０００７】
【図１】本発明の斜視図
【図２】本発明の要部拡大図
【図３】本発明の要部拡大図
【図４】本発明の要部拡大図
【図５】本発明の要部拡大図
【図６】本発明の断面図
【図７】本発明の断面図
【図８】本発明の断面図
【図９】本発明の断面図
【図１０】本発明の断面図
【発明を実施するための形態】
【０００８】以下、本発明の実施の形態を説明する。
（イ）ファスナー（５）などの開口部を有する洗濯用ネット（１）の側面に収納部（２）を設ける。
（ロ）収納部（２）を設ける位置は、洗濯ネット（１）の側面の外側全体とする［図６］、又は、洗濯ネット（１）の側面の内側全体［図７］、又は、洗濯ネット（１）の側面の内側、外側のいずれか一側面［図１０，９］に縫い付ける。また［図８］で示すように、内側、外側に、収納部（２）を併せ持つように設けても構わない。
（ハ）収納部（２）は、洗濯用ネット（１）と同素材で、小物体（４）を収納する。
（ニ）収納部（２）は、糸状の織物（３）などで、洗濯用ネット（１）に縫い付けられており、小物体（４）が移動しないよう収納部（２）周辺はしっかりと洗濯用ネット（１）に縫い付けられている。この時、収納部（２）の配置は、整列［図２］、ジグザグ［図３］、乱雑［図４］、放射状［図５］になるように、各室に区分けされている。
（ホ）球体、五角形、六角形などの多面体、またはそれらを２つ以上結合した小物体（４）を各室部分に配置する。
（ヘ）小物体（４）の表面は、滑らか又は突起物がある。
本発明は以上のような構造である
本発明を使用するときは、ファスナー（５）より衣類を入れる。
洗濯機の回転力により小物体（４）が、衣類にぶつかることで汚れが落ちる。
【符号の説明】
【０００９】  １  洗濯用ネット  ２  収納部  ３  糸状の織物  ４  小物体  ５  ファスナー
【図１】
2011218110.tif 000003
【図２】
2011218110.tif 000004
【図３】
2011218110.tif 000005
【図４】
2011218110.tif 000006
【図５】
2011218110.tif 000007
【図６】
2011218110.tif 000008
【図７】
2011218110.tif 000009
【図８】
2011218110.tif 000010
【図９】
2011218110.tif 000011
【図１０】
2011218110.tif 000012
(57)【要約】【課題】従来の運動器具の電力供給はコンセントに差したアダプターからとなるため、ケーブルの長さ、コンセントの位置により使用範囲が限られていた。【解決手段】当該運動器具は、電力の供給は充電電池によるため、電源ケーブルを気にせず使用できることを特徴としており、ケーブルの長さ、コンセントの位置を気にせず室内室外どこでも移動しながら使用できる。【選択図】図１
2011218108.tif 000002
【特許請求の範囲】
【請求項１】
運動器具において、
当該運動器具を身体に取り付け振動によりエクササイズすることを特徴とする運動器具。
【請求項２】
請求項１の運動器具において、
電源ケーブルを気にせず使用できることを特徴とする運動器具。
【発明の詳細な説明】
【技術分野】
【０００１】  本発明は運動器具であり、身体に取り付け振動によりエクササイズするものである。
さらに詳しくは充電電池により、ケーブルの長さ、コンセントの位置を気にせず、どこでも使用できるものである。
【背景技術】
【０００２】  人間は美を追求する生き物でありながら、美食を好む生き物でもある。忙しい生活の中、運動不足になりつつある。そのため、運動せずともダイエットできる運動器具が作られた。図５のように、モーターが内蔵されており振動によりエクササイズできる。その運動器具の電力供給はコンセントに差したアダプターからとなる。
【発明の概要】
【発明が解決しようとする課題】
【０００３】  従来の運動器具の電力供給はコンセントに差したアダプターからとなるため、ケーブルの長さ、コンセントの位置により使用範囲が限られていた。
【課題を解決するための手段】
【０００４】  当該運動器具は、電力の供給は充電電池によるため、電源ケーブルを気にせず使用できることを特徴としており、ケーブルの長さ、コンセントの位置を気にせず室内室外どこでも移動しながら使用できる。
【図面の簡単な説明】
【０００５】
【図１】  ベルト使用例の立体図
【図２】  電源供給器の分解図
【図３】  電源供給器の側面図
【図４】  電源供給器を膝に付けた際の図
【図５】  従来の運動器具の使用図
【発明を実施するための形態】
【実施例】
【０００６】  図１、２、３、４、５のように、ベルト（１０）、充電電池（２０）、コントローラー（１３）が付属されている。
充電電池（２０）はベルト（１０）に取り付けて本体に充電することができる。
充電電池（２０）には、カバー（２１）、電池（２３）、金具（２５）を含め、それらは第一ケース（２１１）、第二ケース（２１２）で組み合わされており、基盤（２２）と電池（２３）を繋いでいる。
スイッチ（２４）はカバー（２１）の外側に付け、基盤（２２）と繋ぐ。スイッチ（２４）により電池のオン・オフを操作する。
充電電池（２０）はアダプター（５３）を使用し、一般家庭用の電源により充電する。
充電中と充電終了の状態は基盤（２２）と繋いだランプの色で表現する。
使用者はコントローラー（１３）の操作により、基盤（２２）と繋いだモーターが加速・減速する。
金具（２５）と金具（２５２）は金具（２５１）によって、カバー（２１）の第二ケース（２１２）に固定され、金具（２５１）の固定端を支点とし、金具（２５２）がクリップとなり、物を挟むことができる。
使用する前に、アダプターを使って電池（２３）に充電する。充電終了後はアダプターを外し、充電電池（２０）をケーブル（１１）に繋ぐ。金具（２５）を使いベルト（１０）に挟み、充電電池（２０）がベルト（１０）に固定される。そのため、当該運動器具を使用する際は、充電電池（２０）を持たずに室内室外問わず使用できる。
その他、ベルト（３０）は膝に巻き、使用できる。
充電電池を（２０）をベルト（３０）に付けて、ケーブル（３１）と繋ぐと、充電電池（２０）を持たずに室内室外問わず使用できる。
【図１】
2011218108.tif 000003
【図２】
2011218108.tif 000004
【図３】
2011218108.tif 000005
【図４】
2011218108.tif 000006
【図５】
2011218108.tif 000007
(57)【要約】      （修正有）【課題】模型作製のための作業時間が大幅に短縮でき、再使用できる歯科技工用模型を提供する。【解決手段】二次石膏部１にあらかじめダウエルピン２を植立し、プラスチックで作っておくことによって、石膏７の硬化時間を待つ必要もなく大幅に時間の短縮ができる。ダウエルピンがあらかじめ植立されているため平行関係が正確に保たれているので、一次石膏部３が用意に抜き取る事が出来、のこを使って手動で各々の歯と歯の間のセパレートする必要がなく、替わりにディスクを使ってマイクロモーターを使い模型の裏側からセパレートできるので、術者への負担も軽くマージンを破損することがない。プラスチック製であるため再使用ができる。【選択図】図７
2011218112.tif 000002
【特許請求の範囲】
【請求項１】
歯科技工用模型（以下模型という）の二次石膏部がプラスチックまたは熱可塑性物質であるもの。
【請求項２】
模型の二次石膏部の中にすでにダウエルピンが植立されているもの。
【請求項３】
模型に使用されるプラスチックまたは熱可塑性物質が抗菌性であるもの。
【請求項４】
模型の二次石膏部の上面の各々のダウエルピンの位置に番号が刻印されているもの。
【請求項５】
模型の底部に鉄板、又はマグネットが接着する板が貼り付けてあるもの、または鉄板またはマグネットが接着する板を取り付けられるようにできているもの。
【請求項６】
模型の背面と側面に平面でレール上の窪みがあり、使い捨て式咬合器が接着剤で接着できるもの。
【発明の詳細な説明】
【技術分野】
【０００１】  歯科技工用模型の二次石膏部分にすでにダウエルピンが植立されている、プラスチック製の台。
【背景技術】
【０００２】  二次石膏部分内にすでに数本のダウエルピンが一定の間隔を持って縦に平行に植立された、あらかじめ作られたプラスチック製の台で、そのダウエルピン上部の露出した部分に一定の厚味の石膏の層を設ける、その石膏の上面に患者の歯型を印象にした石膏模型（一次石膏部分）の底面を接着剤で接着する。
【先行技術文献】
【特許文献】
【０００３】  従来の歯科技工用模型はまず、患者の口腔内の歯の印象を採り、その印象に石膏を注ぎ、石膏硬化後、印象から外し、底面を平らに削り、技工物を製作する歯の位置の底部から垂直に穴を開け、その穴にダウエルピンの頭部（維持部）を差し込み、接着剤で接着していた。そして、次にダウエルピンの露出部分（下部）をゴム柵で囲い、その中に石膏を注ぎ、石膏の硬化を待ち（二次石膏部分）、模型を完成していた。
【発明の概要】
【発明が解決しようとする課題】
【０００４】そのため
（１）石膏硬化時間を待つため作業に長い時間が掛かった。
（２）石膏模型がリサイクルできず作業終了後不要になった石膏模型は産業廃棄物として処理にしなければならず、大変なコストが掛かるとともに環境汚染となった。
（３）石膏の重量が重いため輸送の費用が負担となった。
（４）石膏は水分を吸収するため細菌の停滞の原因となった。
（５）ダウエルピンを平行に植立する事が難しく、一次石膏部を二次石膏部から引き抜く事ができず、そのため裏から歯の一歯毎に切り離すカットができないため、隣接する歯のマージン部のカットが困難でマージン部を破損する事がしばしばあった。
【課題を解決するための手段】
【０００５】手段として
（１）あらかじめ二次石膏部分をダウエルピンを縦に平行に植立した状態でプラスチックで作っておき、ダウエルピンはプラスチック部分から抜けるようにしておく。
（２）使用するプラスチックは抗菌プラスチックで作る。
【発明の効果】
【０００６】（１）模型作製のための作業時間が大幅に短縮でき、コストダウンができる。
（２）模型が再使用できるため産業廃棄物とならず、地球環境に優しい。
（３）重量が石膏の半分のため作業しやすく、輸送コストが軽減できエコロジーになる。
（４）抗菌プラスチックを使うことによって衛生的である。
（５）第一次石膏部を裏からディスクで切ることができ、マージン部が破損することなく、術者への負担も軽く作業が楽にできる。
【図面の簡単な説明】
【０００７】
【図１】発明品の立体図である。
【図２】発明品の上面図である。
【図３】発明品の底面図である。
【図４】発明品の前面図である。
【図５】発明品の背面図である。
【図６】発明品の側面図である。
【図７】発明品の側面断面図である。
【図８】発明品の側面構造図である。
【符号の説明】
【０００８】１．二次石膏部（プラスチック）
２．ダウエルピン
３．一次石膏部
４．接着剤による接着部
５．鉄板・マグネット接着板
６．レール状の窪み
７．石膏
【図１】
2011218112.tif 000003
【図２】
2011218112.tif 000004
【図３】
2011218112.tif 000005
【図４】
2011218112.tif 000006
【図５】
2011218112.tif 000007
【図６】
2011218112.tif 000008
【図７】
2011218112.tif 000009
【図８】
2011218112.tif 000010
(57)【要約】      （修正有）【課題】排泄した事を，排泄感知装置付おむつを使用する事によりランプ（ＬＥＤ）又は，ブザーで人に知らせる事の出来る排泄感知装置付おむつを提供する。【解決手段】アルカリ乾電池から流れた電流を、おむつ本体１に配線を巡らせ、プラス線３と反対側にマイナス線４を設け、排泄した時にプラス線マイナス線が水分で連結され、ランプ（ＬＥＤ）が点灯し，排泄した事を人に知らせ、操作盤の切り替えスイッチで切り替える事により、ベルで人に知らせる事も出来る事を特徴とする排泄感知装置付おむつ。【選択図】図１
2011218119.tif 000002
【特許請求の範囲】
【請求項１】
アルカリ乾電池（２）から流れた電流を，おむつ本体（１）にプラス線（３）と反対側にマイナス線（４）を設け，排泄した時にプラス線（３）マイナス線（４）が水分で連結され（５）のランプ（ＬＥＤ）が点灯し排泄を人に知らせ，ベルに切り替え（１３）で詰所に知らせる事も出来る構造とした排泄感知装置付おむつ。
【請求項２】
電気は，１００Ｖのコンセントからアダプターを設けて使用する請求項１記載の排泄感知装置。
【発明の詳細な説明】
【技術分野】
【０００１】本発明は，おむつに配線を巡らせ，排泄があると配線のプラス線とマイナス線が水分で連結され，ランプ（ＬＥＤ）を点灯され，又はベルで人に知らせる排泄感知装置付おむつに関するものである。
【背景技術】
【０００２】従来より，おむつは排泄しても中を開いて見なければ確認する方法はなかった。
【発明の開示】
【本発明が解決しようとする課題】
【０００３】従来より，排泄をした事を知らせることが出来ない為にわざわざおむつを開いて確認する方法しかなく多忙の中，時間のロスが大きく，寝ている人も不快な思いをする時間が長かった。
【課題を解決するための手段】
【０００４】本発明は，その欠点を解決する為にアルカリ乾電池（２）からおむつに配線プラス線（３）反対側にマイナス線（４）を設け，排泄した時にプラス線（３）マイナス線（４）が水分で連結され（５）のランプ（ＬＥＤ）が点灯して排泄を人に知らせ，操作盤の切り替えスイッチ（１３）の切り替えによりベルで知らせる事も出来る。
本発明は，以上の構成によりなる排泄感知装置付おむつである。
【本発明の効果】
【０００５】本発明によれば，
１．おむつに排泄すると体を動かす事が出来ない，声を出せない寝たきり老人や重病人で    も自動的にランプ（ＬＥＤ）を点灯させて，又はベルで人に知らせる事が出来る。
２．病人の世話をする人が，定期的に巡回して排泄がないものまで時間をかけて点検をす    る無駄な時間を使わなくなるので効率がいい。
【発明を実施するための最良の形態】
【０００６】本発明の実施形態について説明する。
アルカリ乾電池（２）から流れた電流を，おむつ本体（１）に配線を巡らせプラス線（３）反対側にマイナス線（４）を設け，排泄した時にプラス線（３）マイナス線（４）が水分で連結され（５）のランプ（ＬＥＤ）が点灯し排泄をした事を人に知らせ，切り替えスイッチ（１３）の切り替えによりベルで知らせる事も出来る。
本発明は，以上のような構成のため，寝たきり老人でも排泄した後即座に人に知らせるため不快な気持になる時間が少なくて済む。
介護する立場からは，無駄な時間と労力がなく双方にとって有益である。【０００７】以下使用方法について，説明する。
排泄で汚れたおむつと，新しいおむつと交換する時は１４のスイッチを切り，１０のコネクタ（オス）と６のコネクタ（メス）を抜く。
交換した後は，１０のコネクタ（オス）を６のコネクタ（メス）に差し込んで，操作盤メインスイッチ１４を入れる。
【図面の簡単な説明】
【０００８】
【図１】  排泄感知装置付おむつの断面図
【図２】  配線説明図
【図３】  操作盤説明図
【符号の説明】  １．おむつ本体
２．アルカリ乾電池
３．配線（プラス線）
４．配線（マイナス線）
５．ランプ（ＬＥＤ）
６．コネクタ（メス）
７．連結テ−プ
８．ベット
９．ベル
１０．コネクタ（オス）
１１．配線
１２．操作盤本体
１３．切り替えスイッチ
１４．メインスイッチ
【図１】
2011218119.tif 000003
【図２】
2011218119.tif 000004
【図３】
2011218119.tif 000005
(57)【要約】      （修正有）【課題】今日、失禁対応用のおむつなどの装具とは異なった、男性用の排尿時残尿漏れ、滴下に対する対処具が、女性用に較べて汎用していない状況があり、暗黙のままに個人で処置されている実態がある。近年、長寿高齢者人口の増加に伴い、相当数の該当者が長時間をかけた排尿後においても、パンツ内陰茎収納後になお、尿の漏れ出しや滴下に悩まされている現実がある。本発明は、安価安全着脱簡単なキャップ状器具を、ごく短時間用いることにより、これらの悩みから容易に解放される器具を提供する。【解決手段】一応の排尿終了感が得られた時点で、本器具を陰茎先端部に可及的深く被せ、パンツ内に収納する。素材的に肌になじみやすく、緩やかな装着のため着脱容易で、３〜１０分程度の後には、陰茎から外して付属するプラスチック小袋に入れて廃棄する。【選択図】図２
2011218117.tif 000002
【特許請求の範囲】
【請求項１】
老年期、男性は排尿完了までに時間を要するようになり、排尿後も出きってしまわず陰茎内に尿が残り、パンツ内に陰茎収納後も尿が出て、尿じみを作ったり、膝下まで滴下する不快な経験をしばしばするようになる。これを簡単に防ぐ器具。
▲１▼一応、排尿終了したと覚えた時に、陰茎先に被せる薄いプラスチック素材、不織布、または紙（表側のみを防水加工）などを素材としたキャップ状の筒体。
▲２▼移動時は勿論、いつでも排尿時使用可能なように、通常筒体は押しつぶした平板状を成すようにして、携帯には嵩張らない簡単な形状とする。
▲３▼使用時には板状の本体の両耳を押してワンタッチでキャップ形筒体を形成する仕組みとする。
▲４▼キャップ内先端には、紙おむつなどに使用する高分子水分吸収素材を収め、残尿の漏れ出しを吸収して、パンツじみ、膝下への滴下を防ぎ、筒体内に保留しきれるようにする。短時間後適当に外し、添付のプラスチックの小袋に入れて廃棄する。
【発明の詳細な説明】
【技術分野】
【０００１】  本発明は、尿失禁対応の器具ではなく、飽くまでも排尿後の残尿漏れに対応するもので、男性老年者の排尿後更なる残尿漏れの失敗、不快感などを防止解消するための器具。容易に移動運搬、使用後廃棄可能な器具に関するもの。
【背景技術】
【０００２】  従来、排尿に著しく時間をかけて防ぐか、その後の尿滲出についてはティッシュなどで自ら対応する程度であった。とりたてて積極的な対応はなかったと思われる。
【特許文献１】
【発明の開示】
【発明が解決しようとする課題】
【０００３】  現段階では、女性の尿漏れ防止対応の「パンティーライナー」などの存在に対し、男性用には積極的な器具対応が工夫されず、個人夫々の対応に委ねられていたと思われるが、長寿社会・老齢人口の増加の中で、排尿後の尿漏出に対して安心安全清潔な処理が求められる時期が来ており、安価簡単に防止することを工夫したものである。
【課題を解決するための手段】
【０００４】  男性における老年期の排尿時間長期化は身体機能の低下に伴う自然の方向であるが、排尿終了後陰茎パンツ内収納後の残尿漏れ出し、滴下は非衛生的であり、本人も不快である。これを防ぐため、一応の排尿終了感を得た時点で、簡易な本器具キャップを陰茎に被せそのままパンツ内に収納する時は、たとえ尿の漏れ出しがあってもキャップ先端部内側の吸収剤に尿が吸収されると共に、陰茎先端部が吸収剤に接触して、陰茎内の尿は毛細管現象により積極的に吸い出され、短時間のうちに残尿排出を完了させる効果がある。
【発明の効果】
【０００５】  本発明を使用することによって、多くの男性老年者が残尿による不快感、不衛生な生活から解放され、快適な成果を実感することができる。
【発明を実施するための最良の形態】
【０００６】  薄く肌触りの良いプラスチック板、不織布、紙など、軽量なキャップ状の形態を保持できる素材で作られた、直径約３．５ｃｍ〜６．０ｃｍ程度、長さ４．０ｃｍ〜７．０ｃｍ程度のキャップ状の筒体の奥に、布素材で包まれた尿の高分子吸収剤を入れて簡易に貼り止めし、筒の入口周辺には肌当りのよいソフトなゴム状脱落防止用の伸縮性のある膜を付けたものとする。筒体の寸法は、平均的な日本人の陰茎サイズの想定から案出したもので、サイズはＳ・Ｍ・Ｌ・ＬＬなどで対応する。
本発明は、以上の構成よりなる。紙製の筒体の場合は、漏出尿が筒体外に滲出しないよう、筒体外面に防水処理加工を施すか、素材として一面のみ防水処理をした紙を使用する。
筒体は、キャップを被せる時までは陰茎挿入が容易なように、しっかりした形状を保つが、被覆後はパンツ内で変形が起っても陰茎になじみやすい程度の強度が望ましい。
【図面の簡単な説明】
【０００７】
【図１】本発明の斜視図
2011218117.tif 000003
【符号の説明】
【０００８】  （１）筒体  （２）筒体先端部内側に付置する強い保水性をもった高分子水分吸収素材。必要あれば、先端部内側に軽く接着する  （３）筒体入口部には、肌当りのよいソフトゴム様の伸縮性のある膜材を付ける。
【図１】
2011218117.tif 000004
【図２】
2011218117.tif 000005
【図３】
2011218117.tif 000006
【手続補正書】
【提出日】平成22年6月9日(2010.6.9)
【手続補正１】
【補正対象書類名】明細書
【補正対象項目名】０００７
【補正方法】変更
【補正の内容】
【０００７】
【図１】  本発明の斜視図
【図２】  本発明の筒状図
【図３】  本発明品用廃棄袋図
(57)【要約】      （修正有）【課題】使用後のぬれた傘を、すばやく収納し、安定保持することができ、地球環境によい傘ケースを提供する。【解決手段】本体１の中央部に、傘を出し入れできる縦型の開閉口６を設け、開閉口６の全体に面ファスナー３を設ける。開閉口６を挟んで本体１の上方に取っ手２を設けるとともに、裏面を吸水素材で構成する収納バンド４を設け、ケースが不要な時には折りたたんで収納バンド４で固定することができる繰り返し使用できる傘ケース。【選択図】図１
2011218113.tif 000002
【特許請求の範囲】
【請求項１】
ケース本体の上方に取っ手を設け、中央部に開閉口を縦型に設け、傘を出し入れできることを特徴とする、傘ケース。
【請求項２】
前記ケース本体の開閉口の止め具として、ケース本体に対して垂直に、開閉口全体に面ファスナーを設けた、請求項１に記載の傘ケース。
【請求項３】
前記ケース本体の裏面を吸水素材とし、表面を防水素材とした、請求項１又は請求項２に記載の傘ケース。
【請求項４】
前記ケース本体収納用に、左右どちら側からでも、付けはずし可能な収納バンドを設けた、請求項１〜請求項３に記載の傘ケース
【請求項５】
前記本体収納バンドの、表面に防水素材、裏面に吸水素材を設けた、請求項１〜請求項４に記載の傘ケース。
【発明の詳細な説明】
【技術分野】
【０００１】本発明は、使用後のぬれた傘をすばやく収納し、安定保持ができ、地球環境にもよい、傘ケースに関するものである。
【背景技術】
【０００２】従来、使用済みの傘は、振って水滴を飛ばすか、布等で拭いて、手に持っていた。また雨の日に、店舗等に設置してある、使い捨てのビニールの傘袋を使用したり、自分で用意した傘ケース等を使用し、手に持つか、肩にかけるか、収納するなどしていた。
【先行技術文献】
【０００３】
【特許文献１】特許公開２００９−２９７４８５号公報
【特許文献２】特許公開平８−２８０４２８号公報
【特許文献３】登録実用新案第３００４５８７号公報
【発明の概要】
【発明が解決しようとする課題】
【０００４】そのために次のような問題点があった。
（イ）傘袋等を使用しない場合は、建物内に入る時や、乗り物に乗る際に、床や衣服等を濡らすことがあった。
（ロ）使い捨ての、ビニールの傘袋は、資源の無駄使いであり、その都度ごみとなり、処分する際に、ＣＯ２を発生させ、地球環境にも悪影響を与えていた。
（ハ）手に持つ場合は、傘の柄を持つ場合も、従来のケースに入れて持つ場合も、腕を傘の長さに合わせた高さで保持していたために、かばん等を一緒にもつことは苦痛であった。
（ニ）肩に掛ける傘ケースは、ずり落ちることがあり、不安定であった。
（ホ）水分をふいてから収納する傘ケースでは、収納に時間がかかっていた。
本発明は、以上の問題点を解決し、雨の日のわずらわしさ、地球環境の悪化を解決しようとするものである。
【課題を解決するための手段】
【０００５】ケース本体の上方に取っ手を設け、中央部を縦型に開閉式とし、傘をすばやく出し入れでき、乾燥後、繰り返し使用することができ、安定的に傘を保持できる。
以上を特徴とする傘ケースである。
【発明の効果】
【０００６】本発明の傘ケースは、資源の有効利用と同時に、ごみを減らし、地球環境を悪化させないとともに、雨の日に、自分やまわりの人にも不快感を与えず、傘をすばやく出し入れでき、安定保持できる効果がある。
【図面の簡単な説明】
【０００７】
【図１】本発明の斜視図
【図２】本発明の一部を切り欠いた側面図
【図３】本発明の収納時の斜視図
【図４】本発明の使用状態を示す図
【発明を実施するための形態】
【０００８】以下、本発明の実施の形態について説明する。
（イ）本体（１）の中央部に、縦型の開閉口（６）を設ける。
（ロ）開閉口（６）を挟んで、本体の上方に、取っ手（２）を設ける
（ハ）開閉口の止め具は、傘ケースに対して垂直に、開閉口の全体に、面ファスナー（３）を設ける。
（ニ）本体（１）の、表面（１ａ）は防水性素材を、本体裏面（１ｂ）は防水性素材で構成する。
（ホ）本体収納用として、ホックにより、左右どちらからでも付けはずし可能な、収納バンド（４）を設ける。また、収納バンド表面（４ａ）を防水素材で、収納バンド裏面（４ｂ）を吸水素材で構成する。
本発明は以上のような構成で、これを使用するときは、左右の取っ手（２）を外側へ引き、開閉口（６）を適度に開き、傘を先端より挿入し、面ファスナー（３）をあわせ収納する。
また傘ケースを持つ時は、左右両方の取っ手（２）を片手でにぎり、吊り下げる。
傘を取り出すときも、左右の取っ手（２）を外側に引き、開閉口（６）を適度に開き行う。
傘ケース不要時には、取っ手（２）部分を中心に、縦方向のらせん状に、右巻き、あるいは左巻きどちらかに折りたたんで、収納バンド（４）で固定する。
また、収納バンド（４）の裏面（４ｂ）は吸水素材であるため、本体（１）収納前には、衣服、かばん等、濡れた物を拭くことができる。
【符号の説明】
【０００９】  １本体
１ａ本体表面
１ｂ本体裏面
２取っ手
３面ファスナー
４収納バンド
４ａ収納バンド表面
４ｂ収納バンド裏面
５ホック
６開閉口
【図１】
2011218113.tif 000003
【図２】
2011218113.tif 000004
【図３】
2011218113.tif 000005
【図４】
2011218113.tif 000006
(57)【要約】【課題】従来、つま楊枝つきのマドラーは無く、つま楊枝とマドラーは別々に用意するしかなかった。本発明は、両者を一体にすることで問題を解決するものである。【解決手段】マドラーの軸の先端を尖らせることにより、マドラーをつま楊枝としても使用できる形状とする。つま楊枝として使用するときは、先端の液体をかき回すヘラ状の部分を取り除いて使用する。【選択図】図１
2011218116.tif 000002
【特許請求の範囲】
【請求項１】
マドラーの軸の先端を尖らせ、つま楊枝としても使えるようにしたマドラー。
【発明の詳細な説明】
【技術分野】
【０００１】本発明はつま楊枝としても使用できる使い捨てマドラーに関するものである。
【技術背景】
【０００２】従来、つま楊枝とマドラーは別々に用意するしかなかった。
【発明の概要】
【発明が解決しようとする課題】
【０００３】従来、つま楊枝つきのマドラーは無く、つま楊枝とマドラーは別々に用意するしかなかった。
本発明は、両者を一体にすることで問題を解決するものである。
【問題点を解決するための手段】
【０００４】マドラーの軸の先端を尖らせることにより、マドラーをつま楊枝としても使用できるようにする。
【発明の効果】
【０００５】マドラーとつま楊枝を別々に用意する必要が無くなる。
【図面の簡単な説明】
【０００６】
【図１】本発明の斜視図
【発明を実施するための形態】
【０００７】以下、本発明の実施の形態を説明する。
（イ）マドラーの軸先端（２）を尖らす。
（ロ）マドラーの軸先端（２）とヘラ（３）との間にスリット（４）を設け、軸先端（２）とヘラ（３）が接続部部（５）でしか繋がっていない形状にする。
（ハ）マドラーの軸（１）の中央部に溝（６）を設ける。
本発明は以上のような構造である。
【０００８】本発明の使用法は以下である。
マドラーとして飲料等をかくはんする時は、手を加えずこのまま使用する。
つま楊枝として使用する時は、へら（３）をひねり軸とヘラの接続部（５）を折ってヘラ（３）を取り除くと共に軸を溝（６）で折って、つま楊枝として使いやすい長さにして使用する。
つま楊枝先端部分はヘラ部分にあり、手に触れない場所で衛生的にも問題が無く使用出来る。
【符号の説明】
【０００９】（１）軸、（２）軸先端、（３）ヘラ、（４）スリット、（５）軸とヘラの接続部、（６）溝、（７）マドラー使用部、（８）つま楊枝使用部
【図１】
2011218116.tif 000003
(57)【要約】【課題】録画録音用のＤＶＤ／ＣＤのケースは最近薄型が多く販売されておりスタンドに、より多く収納できる。しかし背表紙が狭くて題名を書き込めない。  本の様に並べて収納された多くのＤＶＤ／ＣＤ薄型ケースの中から特定の一枚を探すのが大変だった。【解決手段】ＤＶＤ／ＣＤ薄型ケースが正面向きに並ぶスタンドを作り、これに階段式又は傾斜式のガイドを設け手前から奥に向かってケースが高い位置に納まる様にした。  これに平行してＤＶＤ／ＣＤ薄型ケース側には既存の形状を利用してケースの凹み部分に題名書き込み用ラベルを新設する。  ＤＶＤ／ＣＤ薄型ケースが前から順次奥へ向かうほど約１０ミリずつ高い位置に並び、全てのケースの新設ラベル部分が前から一覧できる。高さに制限のある場合にはスタンドを横向きにして使う事も出来る図３の構造で対処できる。【特許請求の範囲】
【請求項１】
ＤＶＤ／ＣＤ薄型ケースのラベル部分が前から一目で見られる様に階段ガイド又は傾斜ガイドを設けたＤＶＤ／ＣＤ薄型ケース用陳列収納スタンド
及び並行して既存の薄型ケースの形状をそのまま利用した題名書込みラベルの新設を組み合わせたＤＶＤ／ＣＤケース薄型タイプの陳列収納方法。
【発明の詳細な説明】
【技術分野】
【０００１】この発明はＤＶＤ／ＣＤ薄型ケースの陳列整理収納を目的としたスタンドの形状と既存の薄型ケースにラベルを新設する事に関する。
【背景技術】
【０００２】録画録音用ＤＶＤ／ＣＤの薄型ケースが多く販売されているが、背表紙が狭く題名が書き込めない。また書き込めても小さく見にくい。
背表紙のタイトル部分をレンズ方式によって拡大する発明もあるがなにぶん狭すぎて此処にタイトルを綺麗に書き込むのは大変である。
レンズを通して見ても小さいのと歪みで見にくい。
スタンドに、より多くのＤＶＤ／ＣＤ薄型ケースを並べる事が出来ても希望の一枚を取り出すのに題名が見えず不便さを感じていた。
【先行技術文献】
【特許文献】
【０００３】
【特許文献１】  特開２００１−１７８６０３号広報
【０００４】
【特許文献２】  特開２００１−２４７１８４号広報
【発明の概要】
【発明が解決しようとしている課題】
従来の発明では単に整理良く並ぶ発明は多く有りましたが沢山のＤＶＤ／ＣＤ薄型ケースを収納した時、ＤＶＤ／ＣＤの題名が見えず特定の一枚を選び出す事が難しく不便さを感じていた。
又、ぎっしり並んでいると指が掛からず取り出しにくかった。
【課題を解決するための手段】
そこでこの発明はこの問題を解決する為に階段式又は傾斜式のＤＶＤ／ＣＤ薄型ケース用スタンドを提供する。一方ＤＶＤ／ＣＤ薄型ケース側には、既存の形状をそのまま利用して題名を記入できるラベルを新設する。
【発明の効果】
ＤＶＤ／ＣＤ薄型ケースの題名欄が前向きに一覧表を見ている様に並ぶので一目で取り出したいＤＶＤ／ＣＤが見つかる。
取り出しは、ケースの溝に指をかけて簡単に取り出せる。
【図面の簡単な説明】図１は階段式のスタンドの全体図を示す。
図１ではＤＶＤ／ＣＤケース入れが３列有りＡ−Ａ断面図に有るように前から順次ケースを入れていくと階段ガイドに沿って奥へ行くほど１０ミリほど高く収まり、ケースの題名が見える状態で収まる。
図２は傾斜式のスタンドの全体図を示す。
図２ではＤＶＤ／ＣＤケースの階段ガイドの替わりに傾斜式を表したものである。
傾斜式の場合はケースのサイドと接する両壁部分にケースが入る溝が必要となる。
図３は一列用スタンドの全体図を示す。
図３では置き場所の都合で上方向が制限されている場合、横向きに置く事も出来る構造である。
上記発明に平行してＤＶＤ／ＣＤ薄型ケース側には既存の形状をそのまま利用して凹みにラベルを新設する。
このラベルに自由に題名を記入できる。またラベルの代わりに白コーティングでも良い。
【発明を実施する為の形態】
図１ではＤＶＤ／ＣＤケースを前から奥へ収める構造。
奥へ行くほど階段ガイドが高くなっているのでケースの位置も高くなっていく。
図２では階段式に替えて傾斜式を表している。
使用方法はほとんど同じである。
題名欄が見える位置で収まり前側から見るとすべてのケースの題名が見える。
図３では高さや幅に制限がる場合として縦置きにも横置きにも出来る構造を表している。
本体Ａ（一個）と金具Ｂ（複数）で構成される。
机の上などで使用する時は縦置きで使用し又収納時は場所に合わせて横向きで保管可能である。
【実施例】図３の様に、プラスチック成型と金属板で製作可能。
木材でも製作可能。
一列用スタンドを縦横自由に置けば場所のスペースに制限がある場所に合わせた選択が出来る。
【産業上の利用可能性】この方法でＤＶＤ／ＣＤ薄型ケースの題名が前から見えて扱いが便利になれば、普通サイズのケースの半分の厚さであることから、より多くの収納が可能で需要も伸びるものと思われる。
使用者側から見れば従来の薄型ケースにラベルを追加するだけでそのまま使えるので今まで溜まったＤＶＤ／ＣＤケースの整理も出来る。
【図１】
2011218111.tif 000002
【図２】
2011218111.tif 000003
【図３】
2011218111.tif 000004
(57)【要約】【課題】歩行癖は現代人の健康維持に著しく悪影響を与えるものである。健康維持及び増進のための、歩行癖改善用具としてのウォーキングシューズを提供する。【解決手段】靴底を左右方向の山型とし、使用時の接地面積を極端に減少させることで、使用者に左右前後の身体バランスを要求し、バランスのとれた歩行運動を身につけられるようにした。【選択図】図１
2011218114.tif 000002
【特許請求の範囲】
【請求項１】
靴底を、左右方向の山型形状としたウォーキングシューズ。
【請求項２】
左右の高低差を１０〜１５ｍｍとした山型形状。
【請求項３】
山型の頂部を１０〜１５ｍｍとした平面形状。
【発明の詳細な説明】
【技術分野】
【０００１】本発明は、体力維持及び増進や健康管理を目的としたウォーキングに使用するウォーキングシューズの靴底を左右方向の山型とし、中心部分を左右より高くすることで、ウォーキング時に左右前後の身体バランストレーニング及び歩行運動負荷を増大させることを可能にするものである。
【背景技術】
【０００２】従来のウォーキングシューズの靴底は滑り止め用としての凹凸はあるものの、靴底を左右の山型とすることで、中心部分を左右より高くした靴底を持つウォーキングシューズはこれまでにはなかった。
【発明の概要】
【発明が解決しようとする課題】
【０００３】現代人の歩行は外傾歩行（外股歩行）又は内傾歩行（内股歩行）に大別される。
この歩行癖は背骨の曲がり、骨盤の変形、左右筋力の不均衡、等々、現代人の健康維持に著しく悪影響を与えるものである。
本発明は健康維持及び増進のための歩行癖改善のために見出されたものである。
【課題を解決するための手段】
【０００４】靴底を山型靴底とし、中心部分を高くすることで、使用者にはスケート靴を初めて履いた時と同様な、接地面積の極端な減少による不安定感を与えるようにした。
使用者は不安定を解消するために、左右前後の身体バランス及び筋肉を均一に働かすことを求められ、バランスの取れた歩行運動へと改善されるようにした。
また、歩行運動時の転倒防止のために左右と中心部の高低差は１０〜１５ｍｍとし、頂部は１０〜１５ｍｍの平部とし、滑り止めの溝を設けた。
また、靴底の材質は使用者の全体重を支える必要性があることから、硬質かつ柔軟性のあるゴム底を採用するこことした。
【発明の効果】
【０００５】本来のウォーキングシューズは歩き易さを考慮した靴底形状とすることが一般的であるが、これでは使用者の持つ歩行癖を改善することはできない。
そこで、本発明は靴底を山型とし、接地面積を極端に減少させることで、使用者に左右前後の身体バランスを要求することが可能となり、使用者は必然的に身体バランスのとれた歩行運動を身につけることができる。
更に、身体バランスがとれることで、背骨の曲がり、骨盤の変形、左右筋肉の不均衡等が矯正され、体力維持及び増進や健康管理に貢献するものである。
【図面の簡単な説明】
【０００６】
【図１】本発明の正面図である。
【図２】本発明の側面図である。
【発明を実施するための形態】
【０００７】以下、本発明の実施の形態について、図面を参照しつつ詳細に説明すれば、図１及び図２は、本発明の実施例をあらわすもっとも一般的な形態のウォーキングシューズを示し、図１は正面図を示し、図２は側面図を示している。
シューズ本体（１）には左右方向が山型の靴底（２）が取り付けられている。
靴底の山型の頂部は１０〜１５ｍｍの平面形状とすることで使用時の接地面積を確保している。また、山型の高低差は１０〜１５ｍｍとし、使用時の転倒を防止できる高低差としている。
靴底の頂部平面形状部が接地部となるので、使用時の滑り止めのために溝を設ける。
【符号の説明】
【０００８】１  ウォーキングシューズ本体
２  靴底
【図１】
2011218114.tif 000003
【図２】
2011218114.tif 000004
(57)【要約】【課題】  従来のネールアートでは、美しいデザインや個性あふれるデザインであった。ただしネールアートに使用されるクリスタルや宝石や鉱物や金属の性質を活用した、美容効果や身体を円滑にするような助勢的な効果を期待するようなデザインの活用がされてなかった。本発明はクリスタルや宝石や絋物や金属の活用を増すことを課題とする。【解決の手段】  本発明は、クリスタルや宝石や鉱物や金属を古来より活用していた誕生石の文献から太陽星座やアセンダントや月星座から相性のよいクリスタルを選択して、東洋医学のツボにクリスタルや宝石や鉱物や金属の助勢的効果を使い、美容効果や身体の円滑効果を増すことで課題を解決する。【選択図】図１
2011218115.tif 000002
【特許請求の範囲】
【請求項１】
ネイルアートに使用する装飾のクリスタルや宝石や鉱物や金属を、東洋医学におけるツボを参考に配置およびデザインをおこなう手法。
【請求項２】
装飾のクリスタルや宝石や鉱物や金属を選択するさいに、一般的に広まっている誕生石や太陽星座やアセンダントや月星座の示す装飾の選択を行う手法。
【請求項３】
装飾のクリスタルや宝石や鉱物や金属の性質を活用して、東洋医学のツボを刺激し助勢を行う手法。
【発明の詳細な説明】
【技術分野】
【０００１】  本発明は、ネールアートに使用する装飾を誕生石など利用者に相性のよい装飾を東洋医学に準じたツボに配置する手法に関する。【０００２】  相性のよい装飾は一般的に周知の誕生石や太陽星座やアセンダントや月星座などから選択を行う手法に関する。
【背景技術】
【０００３】  従来はネールアーティストの好みとネールデザインから装飾を選んでいた。デザインはネールアーティストの創作によりデザインの表現として創作されていた。
【参考文献】
【０００４】  ジュディ・ホール著「クリスタル占星術」産調出版２００５年６月発行
ジュディ・ホール著「クリスタルバイブル」産調出版２００４年３月発行
【発明の概要】
【発明が解決しようとする課題】
【０００５】    しかし従来のネールアートでは、美しいデザインや個性あふれるデザインであった。そこに、本発明は装飾に使用するクリスタルや宝石や鉱物や金属が持つ性質を応用して、ネールの対象物の手の爪や足の爪などにある東洋医学のツボ「経絡とも言う」に配置することで、美容効果を助勢し、デザインの効果を高められることを課題とする手法。
【課題を解決するための手段】
【０００６】    上記課題を解決するために、請求項１記載の手法は、従来デザインを優先的におこなって配置していた装飾用のクリスタルや宝石や鉱物や金属を、東洋医学に基づいたツボに規則性を設けて配置する手法を表にしてマニュアルやパソコンにて検索出来るようにする。【０００７】    上記課題を解決するために、請求項２記載の手法は、各種文献から装飾のクリスタルや宝石や鉱物や金属を選択するさいに、一般的に広まっている誕生石や太陽星座やアセンダントや月星座の示すクリスタルや宝石や鉱物や金属を選び出す手法を表にしてマニュアルやパソコンにて検索出来るようにする。【０００８】    上記課題を解決するために、請求項３記載の手法は、装飾のクリスタルや宝石や鉱物や金属の性質を示す特徴を表にしてマニュアルやパソコンにて検索出来るようにする。
【発明の効果】
【０００９】    本発明は次のような効果を奏でる。
請求項１および請求項２および請求項３に記載されている発明は、従来別々の見識にあった効果を総合的効果として活用するため、本発明のネールアートをおこなえば普段でもツボを刺激して潤滑な身体の助勢が可能になる。
【手法の簡単な説明】
【００１０】  従来ネールアートはネイルアーティストの自由な創作により作成されています。本発明は、その創作においてネールに使用される装飾に使用するクリスタルや宝石や鉱物や金属の各性質を応用して、身体によいとされる東洋医学のツボに配置することで、円滑な身体の助勢をおこなう手法である。
【００１１】  装飾に使用されるクリスタルや宝石や鉱物や金属には、個別の固有振動や輻射エネルギーやスピン波を有している。よく知られていることは磁気エネルギーによるツボ刺激でありチタンやゲルマニウムによる輻射エネルギーの刺激などがある。物質の結晶化により構成されている宝石には、水晶などに代表される固有振動数があるために身体によいとされる共振作用により身体によい刺激が助勢される。
【００１２】  占星術の解釈では、星との関係から身体に好ましい結晶体があるとされている。古来より身体によいとされるクリスタルは、誕生石や太陽星座やアセンダントや月星座などから選択されている。
【００１３】  本発明はネールアートを創作する際に、利用者の誕生日を基に最良なクリスタルや宝石や鉱物や金属を選び、東洋医学に基づいたツボに配置することで身体の円滑な活動の助勢をおこなう手法である。
【００１４】  クリスタルや宝石や鉱物や金属の選択としては、正と負のエネルギーのバランスに配慮した選択をします。正は活溌になり、負はやすらぎと共鳴します。正と負をバランスよく選択することで助勢効果があがります。
【本発明の使用例を説明】
【００１５】  １９５６年４月５日生まれの方にネールをおこなう場合に、太陽星座は牡牛座になります。図２から相性のよいクリスタルは、ルビーとダイヤモンドが選択されます。図２からルビーは活力の正にあたり、ダイヤモンドはやすらぎの負にあたります。ネールの効果として胃腸の活力を助勢したい場合には、図１の手のツボを参考に手の人差し指の爪にはルビーを使ったネールアートをデザインします。またストレスなどで高ぶった神経にやすらぎを助勢したい場合には、図１から薬指にダイヤモンドを使ったネールアートをデザインします。星座からの効果も太陽星座と相性がいい場合と月星座と相性がいい場合があります。月星座と相性がいい場合には、図３から相性のよいクリスタルはガーネットとスノークオーツになります。上記に説明したと同様にクリスタルの効用からネールアートのデザインをします。
【図面の簡単な説明】
【００１６】
【図１】図１は手のツボを表す。
【図２】図２は太陽星座によるクリスタルの例題を表す。
【図３】図３は月星座によるクリスタルの例題を表す
【図１】
2011218115.tif 000003
【図２】
2011218115.tif 000004
【図３】
2011218115.tif 000005
(57)【要約】【課題】    従来のように、大事なメモ書きや覚書などを机の上に無雑作においたり消しゴムなどの下に挟んだりすれば、なくしたり落としたりし又書類や本などの下になったりしてわからなくなり、いちいち探さなくてはならなかった。    本発明は伝言メモなどをなくさない様にするための平面上用クリップを提供する。【解決手段】    吸盤の上部に設けた穴部に適宜太さ及び適宜長さの屈曲自在の線状体を設けその先端にプラスチック及び合成樹脂等で成型された、手の形などしたクリップを設けたことを特徴とする平面上用クリップ。【選択図】図３
2011218765.tif 000002
【特許請求の範囲】
【請求項１】
机上など光沢的平面に吸着させる吸盤（３）の上部に設けた穴（４）に適宜長さ及び適宜太さの屈曲自在の線状体（１）を設け、その先端に手の形等のクリップ（２）を設けた平面上用クリップ。
【発明の詳細な説明】
【技術分野】
【０００１】    本発明は、伝言などを記したメモ用紙などをなくしたり落としたりしないよう、そして皆が良く見えるよう立体的にし、また見た目も良く可愛くみせるようにした平面上用クリップである。
【背景技術】
【０００２】    従来、連絡事項や覚書などはメモ用紙や付箋などに書いて、無雑作に机の上に置いたり、消しゴムや本などの下に挟んでおいたりしていた。
また付箋などの裏にはがせるノリが付いていれば、何かに貼ったりしていた。
【先行技術文献】
【０００３】
【特許文献１】
【発明の概要】
【発明が解決しようとする課題】
【０００４】  従来のように、大事なメモ書きや覚書などを机の上に無雑作に置いたり消しゴムなどの下に挟んだりすれば、なくしたり落としたり又書類や本などの下になったりしてわからなくなり、いちいち探さなくてはならなかった。
また裏にはがせるノリが付いているメモ用紙などもいつの間にか落ちてしまい、なくしてしまうこともあった。
本発明は、以上の問題点を解決するためになされたものである。
【課題を解決するための手段】
【０００５】  吸盤の上部に設けた穴部に適宜太さ、及び適宜長さの屈曲自在の線状体を設けその先端にプラスチック及び合成樹脂等で成型された、手の形等したクリップを設けた平面上用クリップである。
【発明の効果】
【０００６】  机上などに伝言メモなどを置く時、立体的にクリップに挟んで立てて置くことにより、皆に良く見え、そして本や書類などの下になることはなく探す手間がはぶける。
また、吸盤を使用しているので光沢的平面であれば壁面でも吸着し使用可能である。
本発明は、屈曲自在の線状体部分で自由に色々な形に変形でき、またクリップ部を手の形やハート形、動物形、花形、等、色々な型やキャラクターなどのクリップを使用することにより、便利さ、面白さ、見栄えの良さ、可愛らしさ、等が出る。
【図面の簡単な説明】
【０００７】
【図１】  本発明の分解図である。
【図２】  本発明の斜視図である。
【図３】  線状体を屈曲させた状態の斜視図である。
【図４】  クリップ部にメモ書きを挟んだ斜視図である。
【発明を実施するための形態】
【０００８】  以下、本発明の実施の形態を説明する。
（イ）  吸盤（３）の上部に設けた穴部（４）に適宜長さ及び適宜太さの屈曲自在の線状        体（１）を設ける。
（ロ）  屈曲自在の線状体（１）の先端に手の形等をしたクリップ（２）を設ける。
本発明は以上の様な構造である。
本発明を使用するときは、吸盤（３）を机上など光沢的平面に吸着させ、屈曲自在線状体（１）の先端にあるクリップ（２）にメモ書き（６）等を挟んで使用する。
また、このとき、屈曲自在の線状体（１）の途中から色々な角度に曲げても良い。
そして、吸盤（３）を机上など光沢的平面からはがすときは、吸盤剥離用ツマミ（５）をつまみ上に上げ、吸盤（３）内に空気が入れば、吸盤（３）は剥れる。
【符号の説明】
【０００９】  １  屈曲自在の線状体
２  手形クリップ部
３  吸盤
４  吸盤の穴部
５  吸盤剥離用ツマミ
６  メモ書き
【図１】
2011218765.tif 000003
【図２】
2011218765.tif 000004
【図３】
2011218765.tif 000005
【図４】
2011218765.tif 000006